(57)【要約】【課題】本発明は、不使用状態の入力デバイス（回転キーや静電パッド等）に無駄な電流を流さないように電源制御することができる電子機器を提供する。【解決手段】データを表示する表示手段１２と、表示手段１２の電源のＯＮ／ＯＦＦ状態を制御する表示制御手段２４と、データを入力する入力手段１４、１５と、表示制御手段２４による制御に基づいて、入力手段１４、１５の電源のＯＮ／ＯＦＦ状態を制御する入力制御手段２３と、を備えた。【選択図】  図３
2010108286.tif 000002
【特許請求の範囲】
【請求項１】
データを表示する表示手段と、
前記表示手段の電源のＯＮ／ＯＦＦ状態を制御する表示制御手段と、
データを入力する入力手段と、
前記表示制御手段による制御に基づいて、前記入力手段の電源のＯＮ／ＯＦＦ状態を制御する入力制御手段と、
を備えたことを特徴とする電子機器。
【請求項２】
前記入力制御手段は、前記表示制御手段により前記表示手段の電源がＯＮにされた場合、前記入力手段の電源をＯＮにし、前記表示制御手段により前記表示手段の電源がＯＦＦにされた場合、前記入力手段の電源をＯＦＦにすることを特徴とする請求項１記載の電子機器。
【請求項３】
前記入力制御手段は、前記入力手段の電源をＯＮにする際、前記表示制御手段により前記表示手段の電源がＯＮされた後に、前記入力手段の電源をＯＮにするとともに、前記入力手段の電源をＯＦＦにする際、前記表示制御手段により前記表示手段の電源がＯＦＦにされる前に、前記入力手段の電源をＯＦＦにすることを特徴とする請求項２記載の電子機器。
【請求項４】
前記入力手段の電源のＯＮ／ＯＦＦを設定するための設定情報を記憶する記憶手段を備え、
前記入力制御手段は、記憶手段により記憶された設定情報がＯＦＦであった場合、前記表示制御手段により前記表示手段の電源がＯＮにされても、前記入力手段の電源をＯＮにしないことを特徴とする請求項３記載の電子機器。
【請求項５】
データを入力する入力手段と、
モジュールから前記入力手段への電源のＯＮ／ＯＦＦ要求をモジュール毎に記憶する記憶手段と、
前記記憶手段に記憶された各々の電源のＯＮ／ＯＦＦ要求の更新を検知する更新検知手段と、
前記更新検知手段により更新が検知された際に、前記入力手段の電源のＯＮ／ＯＦＦ状態を制御する入力制御手段と、
を備えたことを特徴とする電子機器。
【請求項６】
前記入力制御手段は、前記記憶手段により記憶された電源のＯＮ／ＯＦＦ要求の全てがＯＮの要求であった場合、前記入力手段の電源をＯＮにし、前記記憶手段により記憶された電源のＯＮ／ＯＦＦ要求のいずれかがＯＦＦの要求であった場合、前記入力手段の電源をＯＦＦにすることを特徴とする請求項５記載の電子機器。
【請求項７】
前記入力手段が、電子機器に回転自在に設けられ、その回転方向や回転角度に基づいてデータを入力する回転キーであることを特徴とする請求項１または５記載の電子機器。
【発明の詳細な説明】
【技術分野】
【０００１】
本発明は、ディスプレイの電源のＯＮ／ＯＦＦ状態に基づいて入力デバイスの電源のＯＮ／ＯＦＦ状態を制御する電子機器に関する。
【背景技術】
【０００２】
近年、携帯電話機等の電子機器の高機能化に伴い、電子機器に搭載される入力デバイスも多様化している。例えば、ドーナツ型に形成されたキーを回転させることによりデータを入力する回転キーや、ユーザの指や専用ペン等の接触を感知することによりデータを入力する静電パッド等の入力デバイスが電子機器に搭載されるようになってきた。そして、電子機器のＵＩ（Ｕｓｅｒ  Ｉｎｔｅｒｆａｃｅ）も進化して、ユーザが電子機器を扱う際の操作性が格段に向上している。
【０００３】
例えば特許文献１によると、メニュー表示にエンタテインメント性を付加する携帯端末が提案されている。この携帯端末は、複数のメニュー項目を含むメニューを表示する際、各メニュー項目にそれぞれ対応づけられた複数のアイテムを配置した背景画像を表したメニュー画面を表示し、このメニュー画面においてユーザの指示により複数のアイテム間でフォーカスが移動し、目的のメニュー項目に対応するアイテムがフォーカスされた状態で決定操作を行うことにより、そのメニュー項目の選択が決定されるとともに、背景画像の色調は少なくとも現在の時刻をパラメータとして変化するものである。
【特許文献１】特開２００７−４１６４１号公報
【発明の開示】
【発明が解決しようとする課題】
【０００４】
携帯電話機等の電子機器が回転キーや静電パッド等の複数の入力デバイスを搭載している場合、入力を検知するために入力デバイスに常時電流を流しているため、これらの高機能な入力デバイスによる消費電力が大きくなり、電子機器の連続動作時間に悪影響を与えている。しかしながら、ユーザに携帯される小型の電子機器においては、連続動作時間の長さが重要視されている。
【０００５】
また、電子機器により実行されるアプリケーションプログラムによって、回転キーや静電パッド等の入力デバイスが使用されるケースも使用されないケースも考えられる。実行されるアプリケーションプログラムに依存させずに、入力デバイスによる消費電力を軽減できることが望ましい。
【０００６】
本発明は、上記課題を鑑みてなされてものであり、不使用状態の入力デバイス（回転キーや静電パッド等）に無駄な電流を流さないように電源制御することができる電子機器を提供することを目的とする。
【課題を解決するための手段】
【０００７】
上記課題を解決するために、本発明に係る電子機器は、データを表示する表示手段と、前記表示手段の電源のＯＮ／ＯＦＦ状態を制御する表示制御手段と、データを入力する入力手段と、前記表示制御手段による制御に基づいて、前記入力手段の電源のＯＮ／ＯＦＦ状態を制御する入力制御手段と、を備えたことを特徴とする。
【発明の効果】
【０００８】
本発明に係る電子機器によると、回転キーや静電パッド等の入力デバイスの電源状態をディスプレイの電源状態に基づいて制御して、不使用状態の入力デバイスに無駄な電流を流さないように電源制御することが可能となる。
【発明を実施するための最良の形態】
【０００９】
〔第１実施形態〕
本発明に係る電子機器の実施形態について、添付図面を参照しながら説明する。本発明に係る電子機器として、複数の筐体が相互にスライド自在に結合されてなる開閉自在の携帯電話機１を例にあげて説明する。
【００１０】
図１（Ａ）は、携帯電話機１の閉じた状態を示す斜視図、図１（Ｂ）は、携帯電話機１の開いた状態を示す斜視図である。携帯電話機１は、図１（Ａ）及び図１（Ｂ）に示すように、矩形の板状の上筐体１０と、この上筐体１０とほぼ同形状をした下筐体１１とが、閉じた状態で、相互に一面を覆うように積層されることにより形成されている。これらの上筐体１０及び下筐体１１は、所定方向（例えば長手方向）に相互に所定長さだけスライド可能なように結合されていて、上筐体１０を下筐体１１に対してスライドさせることにより、閉じた状態から開いた状態に、あるいは開いた状態から閉じた状態に変形する。
【００１１】
上筐体１０の外面（下筐体１１に対面しない側の面）には、文字や画像等からなる画面を表示するためのディスプレイ１２、音声を出力するためのスピーカ１３が設けられている。また、上筐体１０の外面には、接触を感知するセンサでありユーザが指等で触れることにより指示を入力する複数の静電パッド１４、ユーザが回転させることにより回転方向や回転角度に基づいて指示を入力する回転キー１５が設けられている。
【００１２】
また、回転キー１５の一部（例えば上面視上下左右の位置（図１（Ａ）及び図１（Ｂ）に示す１５ａ乃至１５ｄのそれぞれの位置））が押下（キー押下動作）されたときに、それぞれ上下左右の選択または移動として動作するとともに、回転キー１５が回転されたときには、その回転が所望のキー押下動作に置き換えられて動作する。例えば、回転キー１５が時計回りに回転された場合であれば下側（１５ｃ）が連続して押下されたときの動作、回転キー１５が反時計回りに回転された場合であれば、上側（１５ａ）が連続して押下されたときの動作を行う。
【００１３】
これらのディスプレイ１２、スピーカ１３、静電パッド１４、及び回転キー１５は、携帯電話機１が閉じた状態であっても開いた状態であっても外部に露出するように設けられている。よって、携帯電話機１が閉じた状態であっても開いた状態であっても、ユーザはディスプレイ１２の画面を視認したり静電パッド１４や回転キー１５を介して指示を入力したりすることができる。
【００１４】
下筐体１１の内面（上筐体１０に対面する側の面）には、音声を集音するためのマイクロフォン１６、ユーザが押下することにより指示を入力するための複数の操作キー１７が設けられている。これらのマイクロフォン１６や操作キー１７は、携帯電話機１が閉じた状態のときには、上筐体１０により覆われていて外部に露出していないが、上筐体１０を下筐体１１に対してスライドさせて開いた状態に変形させたときには、外部に露出される。よって、携帯電話機１が開いた状態のときには、ユーザは操作キー１７を介して指示を入力することができるが、携帯電話機１が閉じた状態のときには、ユーザは操作キー１７を介して指示を入力することができない。
【００１５】
下筐体１１の側面には、ユーザが押下することにより指示を入力するための複数のサイドキー１７ａが設けられている。これらのサイドキー１７ａは、携帯電話機１が閉じた状態であっても開いた状態であっても外部に露出するように設けられている。よって、携帯電話機１が閉じた状態であっても開いた状態であっても、ユーザはサイドキー１７ａを介して指示を入力することができる。
【００１６】
次に、携帯電話機１の機能について、図２に示すブロック図を用いて説明する。携帯電話機１は、図２に示すように、主制御部２０、電源回路部２１、操作入力制御部２２、デバイス電源管理部２３、表示制御部２４、音声制御部２５、通信制御部２６、及び記憶部２７がバスによって相互に通信可能に接続されて構成されている。
【００１７】
主制御部２０は、ＣＰＵ（Ｃｅｎｔｒａｌ  Ｐｒｏｃｅｓｓｉｎｇ  Ｕｎｉｔ）を具備し、携帯電話機１の総括的な制御を行うとともに、後述するデバイス電源制御処理、その他の様々な演算処理や制御処理等を行う。電源回路部２１はバッテリ等の電源供給源を具備し、ユーザによる操作キー１７を介した入力に基づいて電源のオン／オフ状態を切り替え、電源がオン状態の場合に電力供給源から各部に対して電力を供給して、携帯電話機１を動作可能にする。
【００１８】
操作入力制御部２２は静電パッド１４、回転キー１５、操作キー１７、及びサイドキー１７ａに対する入力インタフェースを備え、静電パッド１４の接触、回転キー１５の押下、回転キー１５の回転、操作キー１７の押下、及びサイドキー１７ａの押下等の操作を検出すると、それらの操作を示す信号を生成して、この信号を主制御部２０に伝送する。
【００１９】
デバイス電源管理部２３は、主制御部２０の制御に基づいて、静電パッド１４及び回転キー１５の電源のＯＮ／ＯＦＦ状態を管理する。すなわちデバイス電源管理部２３は、主制御部２０（主制御部２０により実行されているアプリケーションプログラム）、または表示制御部２４から、回転キー１５や静電パッド１４の電源ＯＮ／ＯＦＦ要求を受信すると、この要求に基づいて、回転キー１５や静電パッド１４に対して電源ＯＮ／ＯＦＦ要求を送信して、回転キー１５や静電パッド１４の電源のＯＮ／ＯＦＦ状態を切り替える。
【００２０】
表示制御部２４はディスプレイ１２に対する表示インタフェースを備え、主制御部２０の制御に基づいて、文書や画像等からなる画面をディスプレイ１２に表示したり、ディスプレイ１２の電源のＯＮ／ＯＦＦ状態を切り替えたりする。すなわち表示制御部２４は、主制御部２０（主制御部２０により実行されているアプリケーションプログラム）からディスプレイ１２の電源ＯＮ／ＯＦＦ要求を受信すると、この要求に基づいて、ディスプレイ１２に対して電源ＯＮ／ＯＦＦ要求を送信して、ディスプレイ１２の電源のＯＮ／ＯＦＦ状態を切り替える。また表示制御部２４は、主制御部２０からディスプレイ１２の電源ＯＮ／ＯＦＦ要求を受信した際に、デバイス電源管理部２３に対して、回転キー１５や静電パッド１４等の入力デイバスの電源ＯＮ／ＯＦＦ要求を送信する。
【００２１】
音声制御部２５は、主制御部２０の制御に基づいて、マイクロフォン１６で集音された音声からアナログ音声信号を生成し、このアナログ音声信号をデジタル音声信号に変換する。また音声制御部２５は、デジタル音声信号を取得すると、主制御部２０の制御に基づいて、このデジタル音声信号をアナログ音声信号に変換し、スピーカ１３から音声として出力する。
【００２２】
通信制御部２６は、主制御部２０の制御に基づいて、基地局（図示せず）からアンテナ２６ａを介して受信した受信信号をスペクトラム逆拡散処理してデータを復元する。このデータは、主制御部２０の指示により、音声制御部２５に伝送されてスピーカ１３から出力されたり、表示制御部２３に伝送されてディスプレイ１２に表示されたり、または記憶部２７に記録されたりする。また通信制御部２６は、主制御部２０の制御に基づいて、マイクロフォン１６で集音された音声データや静電パッド１４や回転キー１５、操作キー１７等を介して入力されたデータや記憶部２７に記憶されたデータを取得すると、これらのデータに対してスペクトラム拡散処理を行い、基地局に対してアンテナ２６ａを介して送信する。
【００２３】
記憶部２７は、主制御部２０が行う処理について、処理プログラムや処理に必要なデータ等を格納するＲＯＭ（Ｒｅａｄ  Ｏｎｌｙ  Ｍｅｍｏｒｙ）やハードディスク、不揮発性メモリ、データベース、主制御部２０が処理を行う際に使用されるデータを一時的に記憶するＲＡＭ（Ｒａｎｄｏｍ  Ａｃｃｅｓｓ  Ｍｅｍｏｒｙ）等から構成される。また、主制御部２０が後述するデバイス電源制御処理を行う際の処理プログラムは、例えばＲＯＭに記憶されているものとする。
【００２４】
また、記憶部２７は、回転キー１５や静電パッド１４等の入力デバイスの使用を許可するか否かを設定するデバイス設定情報を記憶している。このデバイス設定情報は、入力デバイスの使用を許可する場合にはＯＮが、許可しない場合にはＯＦＦが設定されている。携帯電話機１は、デバイス設定情報がＯＦＦに設定されているときには、所定の入力デバイス（例えば回転キー１５）を介した入力があってもこの入力の検出を行わない。このデバイス設定情報は、ユーザにより設定されたり、実行されるアプリケーションプログラムによって設定されたりする。予め使用されないことがわかっている入力デバイスに対して、デバイス設定情報をＯＦＦに設定して、入力を検出するための電流を流さないことにより、携帯電話機１の消費電力を軽減させることができる。
【００２５】
図３は、携帯電話機１が静電パッド１４や回転キー１５等の入力デバイスの電源を制御するデバイス電源制御処理を説明するための概略図である。携帯電話機１の主制御部２０は、図３に示すように、実行中のＵＩ（Ｕｓｅｒ  Ｉｎｔｅｒｆａｃｅ）アプリケーションプログラムの制御に基づいて、ディスプレイ１２の電源のＯＮ／ＯＦＦ状態を切り替えるように表示制御部２４に指示を出し、表示制御部２４は、この指示に基づいて、ディスプレイ１２に電源ＯＮ／ＯＦＦ要求を送信して、ディスプレイ１２の電源のＯＮ／ＯＦＦ状態を切り替える。
【００２６】
また表示制御部２４は、ディスプレイ１２に対して電源のＯＮ／ＯＦＦ要求を送信した際に、デバイス管理部２３に対して、回転キー１５や静電パッド１４の電源のＯＮ／ＯＦＦを切り替えるように指示を出し、デバイス電源管理部２３は、この指示に基づいて、回転キー１５や静電パッド１４等の各々の入力デバイスに電源ＯＮ／ＯＦＦ要求を送信して、これらの入力デバイスの電源のＯＮ／ＯＦＦ状態を切り替える。この際、ディスプレイ１２の電源のＯＮ／ＯＦＦ状態に基づいて入力デバイスの電源のＯＮ／ＯＦＦ状態が切り替えられるため、携帯電話機１で実行されているアプリケーションプログラム（上位のアプリケーション層）に依存せずに、ディスプレイ１２（下位層）の電源のＯＮ／ＯＦＦ状態のみに基づいて、入力デバイスの電源のＯＮ／ＯＦＦ状態を切り替えることができる。
【００２７】
また主制御部２０は、実行中のＵＩアプリケーションプログラムの制御に基づいて、デバイス設定情報に応じて、回転キー１５や静電パッド１４等の入力デバイスの電源のＯＮ／ＯＦＦ状態を切り替えるようにデバイス電源管理部２３に指示を出し、デバイス電源管理部２３は、回転キー１５や静電パッド１４等の各々の入力デバイスに電源ＯＮ／ＯＦＦ要求を送信して、これらの入力デバイスの電源のＯＮ／ＯＦＦ状態を切り替える。
【００２８】
図４は、回転キー１５や静電パッド１４の電源のＯＮ／ＯＦＦ状態を切り替える際に、主制御部２０や表示制御部２４によりデバイス電源管理部２３に対して送信される要求パラメータ３０を示す図である。主制御部２０や表示制御部２４により送信される入力デバイスの電源ＯＮ／ＯＦＦ要求は、この要求パラメータ３０を含んでいる。この要求パラメータ３０は、図４に示すように、要求元のモジュールを示すモジュールＩＤ情報３１、制御対象のデバイスを示す装置ＩＤ情報３２、電源をＯＮにするかＯＦＦにするかを指定するためのＯＮ／ＯＦＦ指定情報３３を含んでいる。モジュールＩＤ情報３１には、例えばＵＩアプリケーション（主制御部２０）や表示制御部２４等のいずれかが示され、装置ＩＤ情報３２には、回転キー１５や静電パッド１４等のいずれか（または双方）が示され、ＯＮ／ＯＦＦ指定情報３３には、ＯＮまたはＯＦＦのいずれかが示される。
【００２９】
また、ユーザが携帯電話機１を操作する際、ディスプレイ１２の画面に基づいて回転キー１５や静電パッド１４等の入力デバイスを操作するため、ディスプレイ１２の画面が表示されていないときに回転キー１５や静電パッド１４が操作させる可能性は低いものと考えられる。よって、携帯電話機１は、ディスプレイ１２の電源のＯＮ／ＯＦＦ状態に基づいて、回転キー１５や静電パッド１４の電源のＯＮ／ＯＦＦ状態を制御する。
【００３０】
図５は、ディスプレイ１２の電源が制御される際の回転キー１５の電源のＯＮ／ＯＦＦ状態を示す回転キー電源管理表３４である。ここでは、例えば図５に示すように、デバイス設定がＯＮに設定されている場合、ディスプレイ１２の電源がＯＮに設定されたときに、回転キー１５の電源がＯＮに設定され、ディスプレイ１２の電源がＯＦＦに設定されたときに、回転キー１５の電源がＯＦＦに設定される。また、デバイス設定がＯＦＦに設定されている場合は、ディスプレイ１２の電源がＯＮであってもＯＦＦであっても、回転キー１５の電源がＯＦＦに設定される。なお、静電パッド１４については特に記載をしないが、同様に適用することが可能である。以下回転キー１５についての動作を記載するが、静電パッド１４についても適用可能であるため、適宜省略する。
【００３１】
すなわち、携帯電話機１は、複数のパス（例えばＵＩアプリケーションと表示制御部２４）から入力デバイスに対する電源制御の要求が発生したときに、所定条件を満たす場合にのみ入力デバイスの電源制御を行う。携帯電話機１は、通常は入力デバイスの電源をＯＦＦにするとともに、下記の（１）及び（２）の双方が満たされている場合には、回転キー１５の電源をＯＮにし、どちらか一方あるいは両方が満たされない場合には、回転キー１５の電源をＯＦＦにする。  
（１）ディスプレイ１２の電源がＯＮであること
（２）ユーザ操作によりデバイス設定情報がＯＦＦに設定されていないこと
【００３２】
このように携帯電話機１は、ディスプレイ１２の電源のＯＮ／ＯＦＦ状態が制御された際に、デバイス設定情報や回転キー電源管理表３４に基づいて、回転キー１５等の入力デバイスの電源のＯＮ／ＯＦＦ状態を制御する。携帯電話機１がこのデバイス電源制御処理を行う際の手順について、図６及び図７に示すフローチャートに基づいて説明する。以下、例えば「ステップＳ１０１」を「Ｓ１０１」のように、「ステップ」の語句を省略して説明する。
【００３３】
始めに、ディスプレイ１２の電源がＯＦＦからＯＮに切り替えられる場合のデバイス電源制御処理について、図６に示すフローチャートに基づいて説明する。なお、ディスプレイ１２の電源は始めにＯＦＦに設定されていて、画面が消灯しているものとする。
【００３４】
まず主制御部２０は、ディスプレイ１２の電源をＯＮにするように指示されたか否かを判断する（Ｓ１０１）。この際、主制御部２０は、ユーザによる操作キー１７やサイドキー１７ａの操作に基づいて、または実行中のアプリケーションプログラムの制御に基づいて、ディスプレイ１２の電源をＯＮにするように指示されたものと判断する。ディスプレイ１２の電源をＯＮにするように指示されていない場合（Ｓ１０１のＮｏ）は、主制御部２０はそのまま待機する。
【００３５】
ディスプレイ１２の電源をＯＮにするように指示された場合（Ｓ１０１のＹｅｓ）は、主制御部２０は、ディスプレイ１２の電源をＯＮにする（Ｓ１０３）。これにより、ディスプレイ１２は点灯して画面を表示する。主制御部２０は、記憶部２７からデバイス設定情報を取得して、デバイス設定情報がＯＮに設定されているか否かを判断する（Ｓ１０５）。
【００３６】
デバイス設定情報がＯＮに設定されている場合（Ｓ１０５のＹｅｓ）は、主制御部２０は、回転キー１５の電源をＯＮにする（Ｓ１０７）。すなわち、主制御部２０は、回転キー電源管理表３４において、デバイス設定情報がＯＮに設定されているとともにディスプレイ１２の電源がＯＮであるときに回転キー１５の電源をＯＮにするように記述されているため、回転キー１５の電源をＯＮにする。
【００３７】
デバイス設定情報がＯＦＦに設定されている場合（Ｓ１０５のＮｏ）は、主制御部２０は、回転キー１５の電源をＯＦＦにする（Ｓ１１１）。すなわち、主制御部２０は、回転キー電源管理表３４において、デバイス設定情報がＯＦＦに設定されているとともにディスプレイ１２の電源がＯＮであるときに回転キー１５の電源をＯＦＦにするように記述されているため、回転キー１５の電源をＯＦＦにする。
【００３８】
次に、ディスプレイ１２の電源がＯＮからＯＦＦに切り替えられる場合のデバイス電源制御処理について、図７に示すフローチャートに基づいて説明する。なお、ディスプレイ１２の電源は始めにＯＮに設定されていて、画面が点灯しているものとする。
【００３９】
まず主制御部２０は、ディスプレイ１２の電源をＯＦＦにするように指示されたか否かを判断する（Ｓ２０１）。この際、主制御部２０は、ユーザによる操作キー１７やサイドキー１７ａの操作に基づいて、または実行中のアプリケーションプログラムの制御に基づいて、あるいは携帯電話機１が一定時間操作されなかったことに基づいて、ディスプレイ１２の電源をＯＦＦにするように指示されたものと判断する。ディスプレイ１２の電源をＯＦＦにするように指示されていない場合（Ｓ２０１のＮｏ）は、主制御部２０はそのまま待機する。
【００４０】
ディスプレイ１２の電源をＯＦＦにするように指示された場合（Ｓ２０１のＹｅｓ）は、主制御部２０は、回転キー１５の電源をＯＦＦにする（Ｓ２０３）。すなわち、主制御部２０は、回転キー電源管理表３４において、デバイス設定情報がＯＮであってもＯＦＦであってもディスプレイ１２の電源がＯＦＦであるときに回転キー１５の電源をＯＦＦにするように記述されているため、回転キー１５の電源をＯＦＦにする。
【００４１】
そして主制御部２０は、ディスプレイ１２の電源をＯＦＦにする（Ｓ２０７）。これにより、ディスプレイ１２は消灯して画面の表示を終了する。
【００４２】
このようにして携帯電話機１は、ディスプレイ１２の電源のＯＮ／ＯＦＦ状態が切り替わったときに、デバイス設定情報や回転キー電源管理表３４に基づいて、回転キー１５や静電パッド１４等の入力デバイスの電源のＯＮ／ＯＦＦ状態を制御する。
【００４３】
具体的には、携帯電話機１は、デバイス設定情報がＯＮに設定されている場合、ディスプレイ１２の電源がＯＮにされたときには、回転キー１５の電源をＯＮにし、ディスプレイ１２の電源がＯＦＦにされたときには、回転キー１５の電源をＯＦＦにする。また、携帯電話機１は、デバイス設定情報がＯＦＦに設定されている場合、ディスプレイ１２の電源がＯＮにされたときには、回転キー１５の電源をＯＦＦのままにし、ディスプレイ１２の電源がＯＦＦにされたときには、回転キー１５の電源をＯＦＦのままにする。
【００４４】
図８は、ディスプレイ１２の電源ＯＮ時間と、回転キー１５や静電パッド１４等の入力デバイスの電源ＯＮ時間との関係を示す図である。携帯電話機１は、図８に示すように、回転キー１５や静電パッド１４の電源をＯＮにする際に、必ずディスプレイ１２の電源を先行してＯＮにしてから回転キー１５（や静電パッド１４）の電源をＯＮにする。また携帯電話機１は、回転キー１５（や静電パッド１４）の電源をＯＦＦにする際に、必ずディスプレイ１２の電源をＯＦＦにする前に回転キー１５（や静電パッド１４）の電源をＯＦＦにする。
【００４５】
ユーザが回転キー１５や静電パッド１４を用いて携帯電話機１にデータを入力する際、ディスプレイ１２に表示された画面に基づいて入力操作を行う。よって、ディスプレイ１２の点灯後に回転キー１５や静電パッド１４の電源をＯＮにするとともに、ディスプレイ１２の消灯前に回転キー１５や静電パッド１４の電源をＯＦＦにすることにより、ディスプレイ１２が消灯している間に回転キー１５や静電パッド１４による入力がされてしまい、携帯電話機１が、ユーザにより意図されない動作を行ってしまうことが防止される。
【００４６】
次に、携帯電話機１が、入力デバイスに関連するモジュール（入力デバイスの電源のＯＮ／ＯＦＦ状態を切り替えるよう指示を出す可能性のあるモジュール）からの要求に基づいて、回転キー１５や静電パッド１４等の入力デバイスの電源のＯＮ／ＯＦＦ状態を管理するデバイス電源管理処理について説明する。
【００４７】
記憶部２７は、各々の入力デバイスに対して、電源のＯＮ／ＯＦＦ状態を管理するためのデバイス管理情報３６を記憶している。デバイス管理情報３６は、例えば図９に示すように、入力デバイスを識別するための装置ＩＤ情報３７と、この入力デバイスの現在の電源状態を示す物理電源状態情報３８と、この入力デバイスの電源状態に関連する各々のモジュールの要求内容を配列で示すモジュール別要求内容情報３９とを含んでいる。装置ＩＤ情報３７には、例えば回転キー１５の識別情報や静電パッド１４の識別情報等の入力デバイスのいずれかの識別情報が設定されている。物理電源状態情報３８には、装置ＩＤ情報３７に設定された入力デバイスの電源が現在ＯＮである場合には「ＯＮ」が設定され、現在ＯＦＦである場合には「ＯＦＦ」が設定されている。物理電源状態情報３８は、入力デバイスの電源状態が切り替わるたびに随時更新される。
【００４８】
モジュール別要求内容情報３９には、例えば図１０に示すように、モジュールを識別するためのモジュールＩＤ情報４１と、このモジュールから入力デバイスへの要求内容を示す要求内容情報４２とを含んだモジュール管理情報４０が、モジュール毎に配列で設定されている。モジュール管理情報４０のモジュールＩＤ情報４１には、例えば表示制御部２４やＵＩアプリケーション（主制御部２０）が設定されている。要求内容情報４２には、例えばこのモジュールから入力デバイスに対して電源をＯＮにするように要求されている場合には「ＯＮ」が設定され、電源をＯＦＦにするように要求されている場合には「ＯＦＦ」が設定されている。モジュール別要求内容情報３９は、入力デバイスと関連するモジュールが追加（または削除）される度に、またはモジュールによる要求内容が切り替わる度に随時更新される。
【００４９】
主制御部２０は、回転キー１５や静電パッド１４等のいずれかの入力デバイスの装置管理情報３６のモジュール別要求内容情報３９（すなわち要求内容情報４２）が更新されたとき、すなわち、いずれかのモジュールから入力デバイスの電源状態を切り替えるように要求を受け付けたとき、この入力デバイスに関連する全てのモジュールのモジュール管理情報４０に基づいて、全てのモジュールの要求内容情報４２がＯＮであった場合に、対象となる入力デバイスの電源をＯＮにし、いずれかがＯＮでなかった場合に、対象となる入力デバイスの電源をＯＦＦにする。
【００５０】
携帯電話機１が、デバイス管理情報３６やモジュール管理情報４０に基づいて、入力デバイスの電源のＯＮ／ＯＦＦ状態を管理するデバイス管理処理を行う際の手順について、図１１に示すフローチャートに基づいて説明する。
【００５１】
始めに主制御部２０は、入力デバイス（例えば回転キー１５）と関連するモジュールの要求内容情報が更新されたか否かを判断する（Ｓ３０１）。この際、主制御部２０は、この入力デバイスのデバイス管理情報３６のモジュール別要求内容情報３９が更新されたことに基づいて、入力デバイスと関連するモジュールの要求内容情報が更新されたものと判断する。入力デバイスと関連するモジュールの要求内容情報が更新されていない場合（Ｓ３０１のＮｏ）は、主制御部２０はそのまま待機する。
【００５２】
入力デバイスと関連するモジュールの要求内容情報が更新された場合（Ｓ３０１のＹｅｓ）は、主制御部２０は、モジュール別要求内容情報３９において配列で示されている複数のモジュールのうち、先頭のモジュールをＡとして、このＡのモジュールの要求内容情報４２を取得する（Ｓ３０３）。また主制御部２０は、いずれかのモジュールから電源をＯＦＦにするように要求されているか否かを判別するための状態変化フラグを生成して、この状態変化フラグに初期値として０を設定する（Ｓ３０５）。
【００５３】
主制御部２０は、モジュール別要求内容情報３９において、ＡのモジュールのモジュールＩＤ（すなわちモジュールＩＤ情報４１）がＮＵＬＬか否かを判断する（Ｓ３０７）。モジュール別要求内容情報３９において、ステップＳ３０３にて取得したモジュールが空である（すなわち、全てのモジュールに関してステップＳ３０７乃至Ｓ３１１の処理を行った）ことを意味する。
【００５４】
ＡのモジュールのモジュールＩＤがＮＵＬＬでない場合（Ｓ３０７のＮｏ）は、主制御部２０は、Ａのモジュールの要求内容が電源ＯＦＦであるか否かを判断する（Ｓ３０９）。この際、主制御部２０は、Ａのモジュールの要求内容情報４２が「ＯＦＦ」に設定されていた場合に、Ａのモジュールの要求内容が電源ＯＦＦであるものと判断する。そして主制御部２０は、Ａのモジュールの要求内容が電源ＯＦＦであった場合（Ｓ３０９のＹｅｓ）、ステップＳ３０５にて生成した状態変化フラグに１を設定する（Ｓ３１１）。
【００５５】
主制御部２０は、モジュール別要求内容情報３９において配列で示されている複数のモジュールのうち、次のモジュールをＡとして、このＡのモジュールの要求内容情報４２を取得する（Ｓ３１３）。そして主制御部２０は、再びステップＳ３０７に戻って、このＡのモジュールに対してステップＳ３０７以降の処理を行う。
【００５６】
ＡのモジュールのモジュールＩＤがＮＵＬＬであった場合（Ｓ３０７のＹｅｓ）は、主制御部２０は、ステップＳ３０５にて生成した状態変化フラグが０であるか否かを判断する（Ｓ３１５）。状態変化フラグが０であった場合（Ｓ３１５のＹｅｓ）は、主制御部２０は、要求内容がすべてＯＮであるため、入力デバイスの電源をＯＮにする（Ｓ３１７）。一方で、状態変化フラグが０でなかった場合、すなわち１であった場合（Ｓ３１５のＮｏ）は、主制御部２０は、要求内容にＯＦＦが含まれるため、入力デバイスの電源をＯＦＦにする（Ｓ３１８）。
【００５７】
ステップＳ３０９及びＳ３１１の処理により、入力デバイス（例えば回転キー１５）と関連する複数のモジュールのうち、全てのモジュールが電源ＯＮを要求していた場合には、状態変化フラグが０となり、一つでも電源ＯＦＦを要求していた場合には、状態変化フラグが１となる。よって、入力デバイス（例えば回転キー１５）と関連する複数のモジュールのうち、全てのモジュールが電源ＯＮを要求していた場合には、ステップＳ３１７にて回転キー１５の電源がＯＮにされ、一つでも電源ＯＦＦを要求していた場合には、ステップＳ３１９にて回転キー１５の電源がＯＦＦにされる。
【００５８】
このようにして携帯電話機１は、回転キー１５や静電パッド１４等の入力デバイスの電源管理に対する制御権限を持つモジュールを限定し、それぞれのモジュールからの制御の内容を管理する。そして携帯電話機１は、制御の内容が更新されたとき、これらの入力デバイスに対して電源制御を行なう。
【００５９】
例えば、携帯電話機１は、ディスプレイ１２の電源状態に基づいた要求、ＵＩアプリケーションに基づいた要求のうちの、双方の要求内容が電源ＯＮであった場合にはその入力デバイスを電源をＯＮにし、要求内容にどれか一つでも電源ＯＦＦが含まれていた場合にはその入力デバイスの電源をＯＦＦにする。
【００６０】
また、実施形態として、ディスプレイ１２の電源状態に基づいて回転キー１５及び静電パッド１４の電源状態を制御する場合について説明したが、これに限定されず、加速度センサや照度センサ等のその他の入力デバイスに対して適用することもできる。
【００６１】
本発明に係る電子機器（携帯電話機１）によると、回転キー１５や静電パッド１４等の入力デバイスの電源状態をディスプレイ１２の電源状態に基づいて制御して、不使用状態の入力デバイスに無駄な電流を流さないように電源制御することが可能となる。
【００６２】
本発明の説明として、携帯電話機１について説明したが、これに限らず、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔｓ）等、ディスプレイや入力デバイスを備えている電子機器であれば、任意の電子機器であっても良い。
【図面の簡単な説明】
【００６３】
【図１】（Ａ）は、本発明に係る電子機器（携帯電話機）の閉じた状態を示す斜視図、（Ｂ）は、本発明に係る電子機器（携帯電話機）の開いた状態を示す斜視図。
【図２】本発明に係る電子機器（携帯電話機）の機能ブロック図。
【図３】本発明に係る電子機器（携帯電話機）におけるデバイス電源制御処理を説明するための概略図。
【図４】本発明に係る電子機器（携帯電話機）におけるデバイス電源制御処理において送信される要求パラメータを示すデータ構成図。
【図５】本発明に係る電子機器（携帯電話機）のディスプレイの電源が制御される際の回転キーの電源のＯＮ／ＯＦＦ状態を示す回転キー電源管理表。
【図６】本発明に係る電子機器（携帯電話機）において、ディスプレイの電源をＯＮにした場合のデバイス電源制御処理を行う際の手順を示すフローチャート。
【図７】本発明に係る電子機器（携帯電話機）において、ディスプレイの電源をＯＦＦにした場合のデバイス電源制御処理を行う際の手順を示すフローチャート。
【図８】本発明に係る電子機器（携帯電話機）におけるディスプレイの電源ＯＮ時間と回転キーや静電パッドの電源ＯＮ時間との関連を示す図。
【図９】デバイス管理情報を示すデータ構成図。
【図１０】モジュール管理情報を示すデータ構成図。
【図１１】本発明に係る電子機器（携帯電話機）において、デバイス電源制御処理を行う際の手順を示すフローチャート。
【符号の説明】
【００６４】
１…携帯電話機，１０…上筐体，１１…下筐体，１２…ディスプレイ，１３…スピーカ，１４…静電パッド、１５…回転キー，１６…マイクロフォン，１７…操作キー，１７ａ…サイドキー，２０…主制御部，２１…電源回路部，２２…操作入力制御部，２３…デバイス電源管理部，２４…表示制御部，２５…音声制御部，２６…通信制御部，２６ａ…アンテナ，２７…記憶部，３０…要求パラメータ，３１…モジュールＩＤ情報，３２…装置ＩＤ情報，３３…ＯＮ／ＯＦＦ指定情報，３４…回転キー電源管理表，３６…デバイス管理情報，３７…モジュール管理情報。
【図１】
2010108286.tif 000003
【図２】
2010108286.tif 000004
【図３】
2010108286.tif 000005
【図４】
2010108286.tif 000006
【図５】
2010108286.tif 000007
【図６】
2010108286.tif 000008
【図７】
2010108286.tif 000009
【図８】
2010108286.tif 000010
【図９】
2010108286.tif 000011
【図１０】
2010108286.tif 000012
【図１１】
2010108286.tif 000013